(57)【要約】      （修正有）【課題】運行噪音が削減され、気流の乱れと物質伝達効果を向上でき、加湿量を向上することができ、体積がより小さくなる異径蒸発器を有する直立式加湿器を提供する。【解決手段】異径蒸発器を有する直立式加湿器は蒸発式加湿器であって、ケーシング１を含み、ケーシング１の内部には蒸発水槽２が設置され、蒸発水槽２の中には蒸発器３が設置され、蒸発器３の下方にはファン４が装着され、ファン４の吸気エンドはケーシング１の吸気口５と連通され、蒸発水槽２の上部にはまた貯水タンク６が設置され、蒸発器３は貯水タンク６の下部を囲い回り、且つ貯水タンク６はまた給水口８を介して蒸発水槽２と連通されており、ケーシング１の上部には排気口７が設置され、排気口７はファン４の排気エンドと連通され、蒸発器３は排気口７とファン４の排気エンドとの間の気流通路１１中に置かれる。ファン４を蒸発器３の下部に設置することによって、消音を実現する。【選択図】図３
0003230869.tif 000002
【実用新案登録請求の範囲】
【請求項１】
ケーシング（１）を含み、前記ケーシング（１）の内部には蒸発水槽（２）が設置され、前記蒸発水槽（２）の中には蒸発器（３）が設置され、前記蒸発器（３）は水槽の中に没入され、前記蒸発器（３）の下方にはファン（４）が装着され、前記ファン（４）の吸気エンドはケーシング（１）の吸気口（５）と連通され、前記蒸発水槽（２）の上部にはまた貯水タンク（６）が設置され、前記貯水タンク（６）は給水口（８）を介して蒸発水槽（２）と連通されており、
前記ケーシング（１）の上部には排気口（７）が設置され、前記排気口（７）はファン（４）の排気エンドと連通され、前記蒸発器（３）は前記排気口（７）とファン（４）の排気エンドとの間の気流通路（１１）中に置かれ、前記気流通路（１１）はケーシング（１）の内壁と貯水タンク（６）の外壁との間に位置する、ことを特徴とする異径蒸発器を有する直立式加湿器。
【請求項２】
前記貯水タンク（６）の縦断面はＴ型であり、前記貯水タンク（６）の上部は貯水タンク（６）の下部より大きく、前記蒸発器（３）の上部はＴ型貯水タンク（６）の下部の周りを囲み、前記蒸発器（３）の下部は蒸発器水槽（２）中に没入される、ことを特徴とする請求項１に記載の異径蒸発器を有する直立式加湿器。
【請求項３】
前記蒸発器（３）は円筒形であり、前記貯水タンク（６）の下部を囲み、前記蒸発器（３）上部の横方向輪郭面積は、その下部の横方向輪郭面積より大きく、前記蒸発器（３）は繊維層を折り畳んでなり、且つ前記蒸発器（３）下部の折り畳み密度はその上部の折り畳み密度より大きい、ことを特徴とする請求項１または２に記載の異径蒸発器を有する直立式加湿器。
【請求項４】
前記蒸発器（３）上部の裏側にはテーパ面（３１）が設置され、前記テーパ面（３１）は貯水タンク（６）の外壁とマッチングし、前記蒸発器（３）下部の外側にはＯ型階段面（３２）が設置され、前記蒸発器（３）の上部は前記蒸発水槽（２）の上縁にスナップ連結される、ことを特徴とする請求項３に記載の異径蒸発器を有する直立式加湿器。
【請求項５】
蒸発水槽（２）内にはバルブ（９）が設置され、前記バルブ（９）は給水口（８）と対応し、バルブ（９）で給水口（８）から蒸発水槽（２）中に入ってくる水の量をコントロールすることに使用される、ことを特徴とする請求項１に記載の異径蒸発器を有する直立式加湿器。
【請求項６】
前記ケーシング（１）の上部にはカバー（１０）が設置され、前記貯水タンク（６）はカバー（１０）の真下に設置され、前記排気口（７）はカバー（１０）縁の外側に設置される、ことを特徴とする請求項１に記載の異径蒸発器を有する直立式加湿器。
【請求項７】
前記ファン（４）はブレードとモータ（１３）を含み、前記ブレードはデータ（１３）と動力連結され、前記モータ（１３）はブレードの上方に設置され、且つ前記モータ（１３）は蒸発水槽（２）中部の上向きに突起するキャビティ中に設置される、ことを特徴とする請求項１に記載の異径蒸発器を有する直立式加湿器。
【請求項８】
前記貯水タンク（６）、蒸発器（３）、蒸発水槽（２）はファン（４）と順次に縦置き方式でケーシング（１）内に装着され、且つ貯水タンク（６）、蒸発器（３）、蒸発水槽（２）はファン（４）の中軸線と互いに重なる、ことを特徴とする請求項１に記載の異径蒸発器を有する直立式加湿器。
【請求項９】
前記蒸発水槽（２）の内部には、また紫外線滅菌ランプが設置される、ことを特徴とする請求項１に記載の異径蒸発器を有する直立式加湿器。
【請求項１０】
前記蒸発水槽（２）の下部には水加熱装置（１２）が装着される、ことを特徴とする請求項１または６に記載の異径蒸発器を有する直立式加湿器。
【請求項１１】
前記吸気口（５）は前記ケーシング（１）のボトムに設置され、且つ前記ケーシング（１）のボトムにはまた空気加熱装置（１４）が装着され、前記空気加熱装置（１４）は前記吸気口（５）とファン（４）排気エンドとの間に設置される、ことを特徴とする請求項１に記載の異径蒸発器を有する直立式加湿器。
【請求項１２】
前記吸気口（５）上には粗フィルターが装着される、ことを特徴とする請求項１に記載の異径蒸発器を有する直立式加湿器。
【考案の詳細な説明】
【技術分野】
【０００１】
本考案は蒸発式加湿器に関し、さらに具体的に、本考案は主に異径蒸発器を有する直立式加湿器に関する。
【背景技術】
【０００２】
蒸発式加湿器はファンを利用して気流を発生させて、気流が蒸発器を通る時に蒸発器上に附着した水分子を蒸発させ、気流とともに排出することによって、室内空気を一定の湿度に保たせる。ファンはモータによって駆動され、且つファンは加湿器ケーシングの上方に装着されるので、ファンの回転によってケーシングの中に負圧が形成されて気流が発生するが、モータの運行は同時に噪音も発生し、さらに加湿器ケーシングの密封性にさらに高い要求を提出すると同時に、噪音の問題を考慮して、ファンの回転速度が制限を受け、さらに加湿器の最大加湿量も制限を受ける。そして、このような構造の加湿器は大体貯水タンクが下設置式構造となっており、気流がケーシング上の吸気口から入ってから通路を介して上部から排出されが、気流と蒸発器を十分接触させなければならないため、通路を弯曲状にする必要があり、これによって、気流に一定の阻害作用をし、さらに使用の際噪音が発生する。それと同時に、貯水タンクはファンの下に設置され、且つ弯曲通路にデザインされた構造は加湿器製品全体の体積をコントロールすることができないだけでなく、製品デザインの美観性も影響を受けるため、これらの構造をした蒸発式加湿器に対してさらに研究と改進をする必要である。
【考案の概要】
【考案が解決しようとする課題】
【０００３】
本考案は、上記問題を鑑みて、既存技術における同類蒸発式加湿器の運行中に発生し易い噪音を解決し、加湿効率が低く、構造がコンパクトでない訳で体積が大きく、美観性が落ちるなどの技術問題を解決できる異径蒸発器を有する直立式加湿器を提供することを目的とする。
【課題を解決するための手段】
【０００４】
本考案によって提供されるものは異径蒸発器を有する直立式加湿器であって、前記加湿器はケーシングを含み、前記ケーシングの内部には蒸発水槽が設置され、前記蒸発水槽の中には蒸発器が設置され、前記蒸発器は水槽の中に没入され、前記蒸発器の下方にはファンが装着され、前記ファンの吸気エンドはケーシングの吸気口と連通され、前記蒸発水槽の上部にはまた貯水タンクが設置され、前記貯水タンクはまた給水口を介して蒸発水槽と連通されており、前記ケーシングの上部には排気口が設置され、前記排気口はファンの排気エンドと連通され、前記蒸発器は前記排気口とファンの排気エンドとの間の気流通路中に置かれ、前記気流通路はケーシングの内壁と貯水タンクの外壁との間に位置する。
【０００５】
好ましくは、前記貯水タンクの縦断面はＴ型であり、前記貯水タンクの上部は貯水タンクの下部より大きく、前記蒸発器の上部はＴ型貯水タンクの下部の周りを囲み、前記蒸発器の下部は蒸発器水槽中に没入される。
【０００６】
さらに好ましくは、前記蒸発器は円筒形であり、前記貯水タンクの下部を囲み、前記蒸発器上部の横方向輪郭面積は、その下部の横方向輪郭面積より大きく、前記蒸発器は繊維層を折り畳んでなり、且つ前記蒸発器下部の折り畳み密度はその上部の折り畳み密度より大きい。
【０００７】
さらに好ましくは、前記蒸発器上部の裏側にはテーパ面が設置され、前記テーパ面は貯水タンクの外壁とマッチングし、前記蒸発器下部の外側にはＯ型階段面が設置され、前記蒸発器の上部は前記蒸発水槽の上縁にスナップ連結される。
【０００８】
さらに好ましくは、蒸発水槽内にはバルブが設置され、前記バルブは給水口と対応し、バルブで給水口から蒸発水槽中に入ってくる水の量をコントロールすることに使用される。
さらに好ましくは、前記ケーシングの上部にはカバーが設置され、前記貯水タンクはカバーの真下に設置され、前記排気口はカバー縁の外側に設置される。
【０００９】
さらに好ましくは、前記ファンはブレードとモータを含み、前記ブレードはデータと動力連結され、前記モータはブレードの上方に設置され、且つ前記モータは蒸発水槽中部の上向きに突起するキャビティ中に設置される。
【００１０】
さらに好ましくは、前記貯水タンク、蒸発器、蒸発水槽はファンと順次に縦置き方式でケーシング内に装着され、且つ貯水タンク、蒸発器、蒸発水槽はファンの中軸線と互いに重なる。
さらに好ましくは、前記蒸発水槽の内部には、また紫外線滅菌ランプが設置される。
さらに好ましくは、前記蒸発水槽の下部には水加熱装置が装着される。
【００１１】
さらに好ましくは、前記吸気口は前記ケーシングのボトムに設置され、且つ前記ケーシングのボトムにはまた空気加熱装置が装着され、前記空気加熱装置は前記吸気口とファン排気エンドとの間に設置される。
さらに好ましくは、前記吸気口上には粗フィルターが装着される。
【考案の効果】
【００１２】
１．ファンを蒸発器の下部に装着し、ケーシングの下部に吸気口を増設することによって、ファンのモータの運行中発生する噪音が排出空気と共に蒸発器を通り抜ける時に蒸発器によって阻害・吸収されるようにし、よって、加湿器運行中の噪音を効果的に低下させることができ、従って、ファンの回転速を向上することによって単位時間の加湿量を向上することができる。
【００１３】
２．気流通路を貯水タンクの外壁とケーシングとの間に設け、蒸発器を貯水タンクの下部に囲い回せて、縦方向の気流通路を形成して、気流を水平方向に垂直する方向に沿って流れるようにさせて、気流通路をさらに短縮して、気流通路の気流に対する阻害を減らして、運行噪音の音波が蒸発器を通り抜ける時に、噪音を効果的に削減することによって消音を実現する。下端を緊密に、上端を疎くにした異径蒸発器は気流の乱れと物質伝達効果を向上することもでき、従って加湿量を向上することができる。
【００１４】
直立式デザインによって、加湿器をさらにコンパクトにし、このコンパクトな構造に基づき、大容量の貯水タンクを保証することができ、且つ下に置かれる吸気口によって加湿器全体の美観性を向上すると同じに、本考案によって提供される異径蒸発器を有する直立式加湿器は、構造が簡単であって、産業化生産に最適で、普及し易い。
【図面の簡単な説明】
【００１５】
【図１】図１は本考案の一つの実施形態を説明するための構造略図である。
【図２】図２は図１の縦方向断面図である。
【図３】図３は図２の軸側面図である。
【図４】図４は図２中のＡ箇所の拡大図である。
【図５】図５は本考案の他の一つの実施形態中の蒸発器を説明するための構造略図である。
【図６】図６は図５の断面図である。
【図７】図７は本考案のまた一つの実施形態を説明するための構造略図である。
【考案を実施するための形態】
【００１６】
次に図面を参照して本考案についてさらに詳しく説明するものとする。
【００１７】
図１と図２のとおり、本考案の一つの実施形態は、異径蒸発器を有する直立式加湿器であって、この加湿器はケーシング１を含み、前記ケーシング１の内部には蒸発水槽２が設置され、且つこの蒸発水槽２は好ましくてＯ型にデザインして、蒸発水槽２の中に蒸発器３を設置し、この蒸発器３の役割は蒸発水槽２中の水を毛細管原理を利用して蒸発器３上に附着させ、その後気流の作用によって、蒸発される。そのために前記蒸発器３の下方に一つのファン４を装着しなければならないが、ファン４は図２および図３のとおりケーシング１のボトム層に設置し、且つファン４の吸気エンドはケーシング１の吸気口５と連通されており、これほかに、前記蒸発水槽２の上部には一つの貯水タンク６を装着する必要があり、この貯水タンク６の役割は水を貯蔵することであり、且つ前記貯水タンク６は、また給水口８を介して蒸発水槽２と連通されていて、貯水タンク６中に貯槽された水が蒸発水槽２中に流れ込んで、蒸発器３によって吸収される。また、前記ケーシング１の上部にはまた排気口７を設置する必要があり、この排気口７はファン４の排気エンドと連通されているが、前記蒸発器３は直接排気口７とファン４の排気エンドとの間の気流通路１１内に設置され、且つこの気流通路１１はケーシング１の内壁と貯水タンク６の外壁との間に設置され、即ち、前記両者の内外壁には一つのＯ型気流通路１１が形成される。つまり、ファン４の回転によって生じる気流は排気口７により排出される前に、先ず蒸発器３を経過して、蒸発器３上の水分を水分子形式で蒸発させ、気流に乗って排気口７から排出されることによって、空気を加湿する目的を達成する。加湿器構造をコンパクトにさせ、且つケーシング１下部の吸気口が影響を受けないようにするために、前記ファン４のモータをケーシング１内に装着するとともに、ファン４の上方に設置し、その後、モータ１３とブレードを動力連結させる。前記説明によって、本実施形態中の加湿器構造において、蒸発器３を蒸発水槽２の中に設置するとともに、ファン４と貯水タンク６との間に設置される。
【００１８】
ケーシング１の内部空間をさらに節約するために、上記説明のとおり、蒸発水槽２はＯ型水槽２に設置することができ、これに基づき、蒸発水槽２の中部に一つの上向突起を設置して、突起の内部にキャビティを形成させて、モータ１３をこのキャビティ中に装着させることによって、円筒状の蒸発器３と蒸発水槽２との間の空間を効果的に利用することができる。
【００１９】
好ましくは、上記貯水タンク６、蒸発器３、蒸発水槽２はファン４と図２に示すとおり順次に縦置き方式でケーシング１内に装着され、且つ貯水タンク６、蒸発器３、蒸発水槽２はファン４の中軸線と互いに重なるようにして、加湿器全体の体積をさらにコントロールし、本当の意味での超小体積、且つ大容量貯水タンクを実現することができ、加湿器の構造をさらにコンパクトにさせる。
【００２０】
本実施形態において、ファン４を蒸発器３の下部に装着するとともに、ケーシング１の下部に吸気口５を増設することによって、ファン４のモータ１３の運行中発生する噪音が蒸発器３によって阻害・吸収され、よって、加湿器運行中の噪音を効果的に低下させることができる。出願者による実験室でのサンプル機械に対するテストによれば、加湿量が２００ｍｌ／ｈである時に、噪音は２５ｄＢ未満であったので、ファンの回転速度を上げることによって単位時間の加湿量を向上することができる。そして、気流通路１１を貯水タンク６の外壁とケーシング１との間に設置するとともに、蒸発器３を貯水タンク６下部に囲い回せることによって、縦方向の気流通路１１を形成させて、気流通路１１の気流に対する阻害を減らして、加湿器の体積をさらに縮小して、加湿器の構造をさらにコンパクトにさせることもでき、下置きの吸気口５に結合して、加湿器全体の美観性をさらに向上することもできる。
【００２１】
また図２に示すとおり、本考案の課題を解決するためのさらに好ましい実施形態において、上記気流通路１１構造を最適化し、且つ加湿器３に十分な空間を空けるために、上記貯水タンク６を直接縦断面がＴ型の構造にデザインすることができ、図２に示すとおり、前記貯水タンク６の上部は貯水タンク６の下部より大きく、前記蒸発器３が貯水タンクの下部の周りを囲むようにさせ、図に示すように、蒸発器３はＴ型の円筒形構造にデザインすることもでき、円筒形の蒸発器３が貯水タンク６の下部に装着されると、この時、蒸発器３は貯水タンク６の下部とマッチングするとともに、蒸発器３の下部は蒸発水槽２内に没入される。前記構造に基づき、好ましくは、貯水タンク６を横断面が円形の構造にデザインすることができ、前記蒸発器３の形状を円筒形にデザインして、空間を節約し、上記蒸発器３が貯水タンク６の下部を囲い回すようにして、蒸発器３の上部の横方向輪郭面積はその下部の横方向輪郭面積より大きく、蒸発器３は繊維層を折り畳んでなり、蒸発器３の下部の折り畳み密度はその上部の折り畳み密度うより大きく、蒸発器３の上疎・下密の構造によって、上部の広い部分の体積をその下部の相対的にコンパクトした部分の体積に比べて大きくする。蒸発水槽２中の水が順調に下から上へと蒸発器３を浸すようにさせ、且つ蒸発水槽内の水が毛細管現象によって下から上へと蒸発器３に入り込む途中、水中の大部の不純物が蒸発器３下部に折り畳まれている密度の大きい部分によってろ過されて、蒸発器３上部の水の清潔度を向上することができ、水中の不純物が気流に乗って空気中に入ることを防げる。そして、前記蒸発器３の上疎・下密の構造によって、蒸発器３の上部に気流通路１１が多く分布されるようにして、気流が必ず蒸発器３を通るようにさせて、蒸発器３上の水分が蒸発されるようにすると同時に、湿潤状態の蒸発器３が気流通路１１中を経過する空気に対する吸着と洗浄を行い、つまり、蒸発器３を介して空気中の小さな粒子を吸着することができる。前記と同じアイディアに基づき、ケーシング１の吸気口５上に粗フィルターを装着することもでき、この粗フィルターを介して、空気中の大きな粒子をろ過することによって、前記蒸発器３の吸着作用とマッチングさせる。
【００２２】
それと同時に、蒸発器３の上大・下小の異径構造は、蒸発器３の下部が蒸発水槽２中に置かれる時に要する位置を縮小することができ、従って蒸発水槽２の幅を縮小することができ、これによって蒸発水槽２両側の気流通路を広げて、ケーシング１内部の空間利用率をさらに向上することができる。そして、前記異径構造の蒸発器部品を使用することによって、下部密度が大きいスモールエンドの折り畳み層数を緊密にし、上部密度が小さいビッグエンドを疎くして、ファンを蒸発器の下部に装着することによって、運行噪音の音波が蒸発器を通り抜ける時に、噪音を効果的に削減することによって消音を実現する。下端を緊密に、上端を疎くにした異径蒸発器は気流の乱れと物質伝達効果を向上することもでき、蒸発部品上の液体水が水分子状態で蒸発され易くする。出願者による実験室でのサンプル機械に対するテストによれば、異径構造の蒸発器部品を使用することによって、加湿器の蒸発量は原の２８３ｍｌ／ｈから４３５ｍｌ／ｈに向上されていた。それと同時に、上記に記載されているとおり、蒸発器下部のスモールエンド折り畳み層水中の不純物を阻み易くて、不純物が液体水と共に蒸発されるのを防げる。
【００２３】
さらに、図５と図６に示すとおり、上記蒸発器３と貯水タンク６との合致度を高めるために、本実施形態において、考案者は上記蒸発器３上部の裏側にまたテーパ面３１を設置して、このテーパ面３１が貯水タンク６の外壁とマッチングするようにする。さらに、蒸発器３の蒸発水槽２中に装着される時の安定性を保証するために、蒸発器３下部の外側にさらにＯ型階段面３２を設置することができ、このＯ型階段面３２は蒸発器３の下端が蒸発水槽２中に置かれるようにし、且つ蒸発器３の上部が蒸発水槽２上にスナップ連結されるようにする。そして、前記Ｏ型階段面３２は蒸発器３の縦断面において直角になるようにして、蒸発水槽２の凹溝とのスナップ連結の安定性を保証する。
【００２４】
なお、図４に示すとおり、蒸発水槽２中の水量が多過ぎで溢れれることを防ぐために、蒸発水槽２の中にバブル９を装着することもでき、このバルブ９の一端は給水口８の位置と対応し、給水口８上にはシールドゴムプラグが設置され、バルブ９は蒸発水槽２中にいつも十分の水量が保たれるようにするが、このバルブ９は浮きボールバルブ原理を利用して、蒸発水槽２が定額水量に達すると、浮きボールが浮き上がり、この時ゴムプラグによって給水口８が閉じられ、蒸発水槽２中の水量が足りない時には、浮きボルが下がり、バルブ９の他の一端が給水口上のゴムプラグを突き起こして、給水口８を開き、これによって、蒸発水槽２中の水量がいつも一定の量に維持するようにし、従って、加湿量を一定の量に維持し、貯水タンク６内の水位の影響を受けない。
【００２５】
さらに、注水の便利のために、ケーシング１の上部にカバー１０を装着することもでき、前記貯水タンク６はカバー１０の真下に設置され、カバー１０またはカバー１０上の貫通穴を開けて貯水タンク６中に注水することができ、本実施形態において、前記排気口７はカバー１０縁の外側に設置することができる。
【００２６】
なお、加湿器内水中の細菌を抑制するために、上記実施形態の好ましい構造として、上記蒸発水槽２の内部に紫外線ランプを装着することもできる。図７に示すとり、本実施形態において、考案者は加湿器の加湿効率を向上するために、蒸発水槽２の下部に水加熱装置１２を装着するとともに、この水加熱装置１２の発熱部は蒸発水槽２のボトムと接触させ、熱伝達方式によって蒸発水槽中に水を加熱して、蒸発器３上の水の蒸発量を向上させている。考案者の試験データによれば、蒸発器３の温度が上昇すると、その蒸発量が著しく高くなり、通常のテスト標準によって、気温が２３±５℃の環境において、室温の湿度を３０％±５％とし、この時蒸発量は４００ｍｌ／ｈであるが、蒸発器３上の水温が３５℃に達すると、蒸発量は６００ｍｌ／ｈになり、水温が３８℃に達すると、蒸発量は９００ｍｌ／ｈにも達する。そのため、前記水加熱装置１２のパワーおよび加熱時間をコントロールすることによって、蒸発水槽２中の水がいつも３０〜３９℃の温度を維持するようにして、加湿量を向上することができる。
【００２７】
さらに、考案者は試験を通じて、水の温度を上げて加湿量を向上できるだけでなく、吸気温度を上げて加湿量を向上できるということを発見し、この目的を達成するために、吸気口５をケーシング１のボトムにデザインし、且つケーシング１のボトムに空気加熱装置１４を装着して、空気加熱装置１４を前記吸気口５とファン４の吸気エンドとの間に設置させて、ファン４が回転する時に、外部の気流が吸気口５から入り込んだ後、先ず空気加熱装置１４と接触して、温度を上げてから上記気流通路１１と蒸発器３と接触することになり、従って蒸発量を向上する。前記水加熱装置１２と空気加熱装置１４は電気抵抗または電磁コイル発熱方式を使用して水と気流を加熱することができるが、こちらでは詳しく説明しない。
【００２８】
図４に示すとおり、本考案の好ましい実施形態の実際使用中において、電気を入れると、ファン３が回転し始め、外部空気がケーシング１ボトムの吸気口５から気流通路１１に入り、気流通路１１中にて蒸発器３と接触し、その後、ケーシング１上部の排気口７から排出されることよって、ケーシング１の内部にて気流を形成する。このようなプロセス中において、気流はケーシング１の下方から入り、上方から排出され、水平面と垂直する方向に沿って下から上へと流れるとともに、蒸発水槽２内のバルブ９を開けて、貯水タンク６中の水が蒸発水槽２中に流れ込むようにし、蒸発水槽２中の水位が定額ラインに達すると、バルブ９は浮きボールバルブ原理によって、給水口８を閉じ、この時、蒸発器３の下部は蒸発水槽２内の水中に浸されるようになり、水分は毛細管現象により繊維層中において下から上へと浸透され、前記気流の作用によって、蒸発器３上の水分を蒸発させるとともに、連続に排気口７から排出される。ファン４が持続的に回転するにつれ、前記プロセスは連続に行われ、よって周辺空気中の湿度が高くなり、注水が必要である時には、直接水をカバー１０上に注ぐことができ、水はカバー上の貫通穴８によって貯水タンクに流れ込み、カバー１０を開いて貯水タンク６中に水を入れることもできる。
【００２９】
上記説明の以外に、説明して置きたいことは、本明細書の中でいわゆる「一つの実施形態」、「他の一つの実施形態」、「実施形態」などは、この実施形態を参照して説明される具体的な特徴や構造または特異点が本出願の概要中の少なくとも一つの実施形態中に含まれるということを意味する。明細書中に多くの所に現れる同じ表現は必ずしも同じ実施形態を言うものではない。さらに説明すると、いずれかの実施形態を参照して一つの具体的な特徴、構造または特異点を説明した場合、その他の実施形態を参照して実現したこのような特徴や構造または特異点も本考案の保護範囲に属する。
【００３０】
ここでは本考案の複数の解釈性実施形態を参照して、本考案に対して説明をしたものの、本分野の技術者であれば、多くのその他の修正と実施形態をデザインすることができるが、これらの修正と実施形態は本出願に開示された原則範囲とアイディア範囲に属する。さらに具体的に言うと、本出願の開示、図面および特許請求の範囲内において、テーマの組み合わせ配置の構成部品および／または配置に対すて多くの変形と改進を行うことができる。構成部品および／または配置に対して行われる変形と改進のほかに、本分野の技術者にとって、その他の用途も明らかである。
【符号の説明】
【００３１】
１−ケーシング、２−蒸発水槽、３−蒸発器、３１−テーパ面、３２−Ｏ型階段面、４−ファン、５−吸気口、６−貯水タンク、７−排気口、８−給水口、９−バルブ、１０−カバー、１１−気流通路、１２−水加熱装置、１３−モータ、１４−空気加熱装置。
【図１】
0003230869.tif 000003
【図２】
0003230869.tif 000004
【図３】
0003230869.tif 000005
【図４】
0003230869.tif 000006
【図５】
0003230869.tif 000007
【図６】
0003230869.tif 000008
【図７】
0003230869.tif 000009